(57)【要約】【課題】スーツを脱いでハンガーに掛けるという、一連の動作において、先にジャケットなどの上衣を脱いでハンガーに掛け、次にズボンやスカートなどの下衣を同一のハンガーに掛ける際、先に掛けた上衣の干渉を防ぎ、下衣をハンガーに掛ける作業の困難性を解決する手段を提供する。【解決手段】上衣と下衣を掛けるハンガーの背面部分かつ、上衣の肩部分を保持する左右の肩フレームの略中心でかつ上側、または、ハンガーのフック部から略垂直に上向きに突出した掛け具により、先に脱いだ上衣を掛け具に一時的に掛け、後に脱いだ下衣をハンガーに掛けた後に、一時的に掛けておいた上衣をハンガーの肩フレーム部に掛ける事で、先に掛けた上衣の干渉を受けずに、下衣をハンガーに掛ける事が可能となる。【選択図】図１Ａ
2015047486.tif 000002
【特許請求の範囲】
【請求項１】
上衣が掛けられる肩フレーム部と、該肩フレーム部の下側に配設されてズボン又はスカートが係止する係止部と、前記肩フレームの中央にあるネック部と、該ネック部から上方に突出するフック部と、を備える前記上衣と前記ズボン又は前記スカートとを掛けるハンガーに取り付けられる掛け具であって、
前記ハンガーの前記ネック部の上側又は前記フック部に接続される接続部と、
該接続部から突出する突出部と、を備え、
前記ハンガーに掛けられた前記上衣の背中側を前記ハンガーの背面側とした場合に、
前記突出部が前記背面側に突出する向きで、前記ハンガーに取り付けられることを特徴とする掛け具。
【請求項２】
前記接続部は、前記ハンガーの前記フック部を挿入可能な貫通孔を有することを特徴とする請求項１に記載の掛け具。
【請求項３】
前記接続部は、可撓性を有し、前記貫通孔に連通する切込部を備え、
前記切込部が広げられることによって、前記ハンガーに着脱可能となることを特徴とする請求項２に記載の掛け具。
【請求項４】
前記切込部は、前記貫通孔に近づくにつれて幅が狭く形成されていることを特徴とする請求項３に記載の掛け具。
【請求項５】
前記接続部は、複数部位で構成されており、
前記貫通孔は、前記接続部の前記複数部位が組み合わせられて形成されることを特徴とする請求項２乃至４のいずれか１項に記載の掛け具。
【請求項６】
前記貫通孔の断面形状は、略円形、略楕円形又は多角形であることを特徴とする請求項２乃至５のいずれか１項に記載の掛け具。
【請求項７】
前記接続部の前記貫通孔の内壁には、伸縮性材料が付着されていることを特徴とする請求項２乃至６のいずれか１項に記載の掛け具。
【請求項８】
前記伸縮性材料は、熱硬化性樹脂であることを特徴とする、請求項７に記載の掛け具。
【請求項９】
前記接続部には、前記ネック部に接着する接着剤が塗布されていることを特徴とする請求項１に記載の掛け具。
【請求項１０】
請求項１に記載の掛け具を一体的に備え、前記上衣と前記ズボン又は前記スカートが掛けられるハンガー。
【発明の詳細な説明】
【技術分野】
【０００１】  本発明は、ジャケットなどの上衣と、ズボンまたはスカートなどの下衣を掛けるための掛け具及び当該掛け具を備えるハンガーに関するものであり、さらに詳述すると、先に掛けた上衣に干渉される事なく下衣をハンガーに掛ける事を可能とする、ハンガーの背面側に上衣を一時的に掛けておくための掛け具及び当該掛け具を備えるハンガーに関するものである。
【背景技術】
【０００２】  通常、壁、クローゼットやラック等に衣服を掛ける際にはハンガーが用いられる。現状、ハンガーには多種多様なものがあり、ジャケットやコート等の上衣専用、ネクタイ専用、ズボンやスカート等の下衣専用のハンガー等が普及している。
例えば、特許文献１には、上衣と下衣とを同時に掛けることができ、且つ、下衣を挟持する係止部（把手）を備えることによって、ハンガーからの下衣の脱離を防ぐことができるハンガーが開示されている。【０００３】  また、特許文献２には、衣服の他に、小物等の収納することを可能とするハンガーとして、フック部に小物類を掛けて収める延出部を備えるハンガーが開示されている。
【先行技術文献】
【特許文献】
【０００４】
【特許文献１】実開平６−８３１７９号公報
【特許文献２】特開２０１２−１９９２３号公報
【発明の概要】
【発明が解決しようとする課題】
【０００５】  ところで、着用しているスーツなどを脱ぐ際には、下衣よりも外側にある上衣を先に脱ぎ、その後下衣を脱ぐのが一般的である。この順番で上衣と下衣の双方を、特許文献１に開示されているような１つのハンガーに掛けようとすると、下衣を掛ける係止部は、先に掛けた上衣に一部が覆われて干渉され、下衣を掛ける作業が著しく困難となる。【０００６】  このような状態において、無理に下衣を係止部に係止することで、下衣に皺が生じたり、下衣を係止部に係止させる際に上衣の落下を招くことで、上衣に落下先の汚れが付着することがあった。更に、特許文献２に開示されたハンガーにおいては、下衣を掛ける際に、上衣と共に延出部に掛けられた小物類が落下してしまうことがあった。【０００７】  この問題を回避するためには、スーツを脱ぐ際、下衣を先に脱いでハンガーに掛けた後、上衣をハンガーに掛けるといった通常と異なる順序の動作をしなければならなく手間がかかっていた。
また、一度脱いだ上衣を床、または棚などの構造物の上などに仮置きし、下衣をハンガーに掛けた後に上衣を拾い上げてハンガーに掛けるようにすると、手間がかかり、更に、仮置きをしなければならないために、上衣に対する汚れの付着や皺の発生の原因となることがあった。その他、別々のハンガーを準備し別々に掛ける場合には、手間と場所とコストがかかっていた。【０００８】  とりわけスーツの仕立屋やホテル等で、客に渡されたスーツを従業員がハンガーに掛ける際、先に渡された上衣を床や棚に仮置きし、先に下衣を係止部に掛けた後、上衣を拾い上げてハンガーに掛ける行為は、客の所有物である上衣、また、試着中の商品である上衣を汚損する可能性があり、また、先に上衣をハンガーに掛けた後、下衣を係止部に掛けると、下衣に皺が発生する蓋然性が高く問題となっていた。【０００９】  本願発明は、上記課題に鑑みてなされたものであり、その目的とするところは、着衣を脱いでハンガーに掛ける一連の動作において、着衣を容易に掛けることができ、汚損を防ぐことができる、実用性の高いハンガー用の掛け具、及び掛け具を備えるハンガーを提供することにある。
【課題を解決するための手段】
【００１０】  前記課題は、本願発明の第１の観点に係る掛け具によれば、上衣が掛けられる肩フレーム部と、該肩フレーム部の下側に配設されてズボン又はスカートが係止する係止部と、前記肩フレームの中央にあるネック部と、該ネック部から上方に突出するフック部と、を備える前記上衣と前記ズボン又は前記スカートとを掛けるハンガーに取り付けられる掛け具であって、前記ハンガーの前記ネック部の上側又は前記フック部に接続される接続部と、該接続部から突出する突出部と、を備え、前記ハンガーに掛けられた前記上衣の背中側を前記ハンガーの背面側とした場合に、前記突出部が前記背面側に突出する向きで、前記ハンガーに取り付けられること、により解決される。
ここで、ネック部とは、ハンガーにおいて、肩フレームの略中央で、ハンガーに掛けられた状態の上衣の襟首の位置に相当する部分である。
また、フック部とは、ハンガーを上から見た際にネック部の略中央で、且つ、ネック部から上方に突出し、ハンガーを任意の構造物に掛けるための部位をいう。【００１１】  このように、掛け具は、肩フレーム部と係止部を備えるハンガーのネック部の上側又はフック部に接続される接続部と、接続部から突出する突出部と、を備え、突出部は、上衣がハンガーに掛けられた状態において、ハンガーにおける上衣の背面側に突出する向きでハンガーに取り付けられていることにより、先に上衣を突出部に一旦掛けて、次に、ズボン又はスカートを係止部に係止させて、最後に上衣を肩フレーム部に掛けることができる。
つまり、上衣をハンガー以外の他の場所に仮置きすることなく、下衣の係止作業を阻害しない位置である背面側に掛けることができ、下衣の皺の発生、上衣の皺の発生及び汚損を防ぎ、更に、ハンガーへの衣服を掛ける効率を高めることができる。【００１２】  また、前記接続部は、前記ハンガーの前記フック部を挿入可能な貫通孔を有するようにしてもよい。
このように、接続部に、フック部に挿入可能な貫通孔が形成されていることで、ハンガーに取り付けるための接着剤等を要さずに、貫通孔にフック部を通すようにして掛け具をハンガーに取り付けることができる。【００１３】  また、前記接続部は、可撓性を有し、前記貫通孔に連通する切込部を備え、前記切込部が広げられることによって、前記ハンガーに着脱可能となるようにしてもよい。
このように、接続部は、可撓性材料から成り、貫通孔に連通する切込部を備え、切込部が広げられることによって、ハンガーに着脱可能となるようにすることで、接着剤や粘着剤等を用いずともハンガーに掛け具を取り付けることができ、また、フック部の少なくとも一部が貫通孔よりも小さければ、切込部を通して取り付けることができる。
なお、ここで、可撓性を有する接続部は、接続部の材料自体が可撓性材料から成るものの他、引張バネ、板バネ等の弾性材料を備えるようにして可撓性を有するものも含まれる。【００１４】  更に、前記切込部は、前記貫通孔に近づくにつれて幅が狭く形成されているようにしてもよい。
このように、切込部が貫通孔に近づくにつれて幅が狭く形成されていることで、切込部を通して取り付ける際には、幅狭となったテーパ状の切込部を押し広げるようにして容易に取り付けることができ、更に、取り付けた状態で力を付与していない状態においては、復元力によって、切込部が元の形状に戻るため、意図せずフック部から掛け具が抜けることを防ぐことができる。【００１５】  また、前記接続部は、複数部位で構成されており、前記貫通孔は、前記接続部の前記複数部位が組み合わせられて形成されていてもよい。
このように、接続部は、複数部位で構成されており、接続部の複数部位が組み合わせられて形成された貫通孔を有することで、フック部の少なくとも一部が貫通孔よりも小さければ、接続部を組み合わせるようにして貫通孔内にフック部の一部を通すことができる。更には、フック部のすべてが貫通孔よりも大きかったとしても、複数で構成された接続部の構成部でフック部を挟み込むようにして掛け具を取り付けることも可能となる。【００１６】  また、前記貫通孔の断面形状は、略円形、略楕円形又は多角形であってもよい。
このように、貫通孔の断面形状は、略円形、略楕円形又は多角形であることで、これらの形状に対応する外形のフック部に好適に取り付けることができる。【００１７】  更に、前記接続部の前記貫通孔の内壁には、伸縮性材料が付着されていると好ましい。
このように、接続部の貫通孔の内壁に、伸縮性材料が付着されていることで、貫通孔に通されるフック部に密着させることができ、ハンガーへの掛け具の支持を安定させることができる。【００１８】  また、前記伸縮性材料は、熱硬化性樹脂であってもよい。
このように、伸縮性材料が熱硬化性樹脂であることで、熱を加えることによって、上衣を掛けるのに好適な向きで掛け具をハンガーに固定する事ができ、位置ずれを防止することができる。【００１９】  また、前記接続部には、前記ネック部に接着する接着剤が塗布されていてもよい。
このように、接続部に接着剤が塗布されていれば、フック部に適合する貫通孔を有しない掛け具であってもハンガーに取り付けることができる。【００２０】  前記課題は、本願発明の第２の観点に係るハンガーによれば、前記掛け具を一体的に備え、前記上衣と前記ズボン又は前記スカートが掛けられること、により解決される。【００２１】  本願発明は、使用者が、脱いだ上衣をハンガーに掛ける際、まず本発明の掛け具に引っかけて一時的に保持し、続いてズボンなどの下衣を同一のハンガーの係止部に掛けた後、掛け具に掛けた上衣を肩フレームに掛けるようにする事ができることで、同一のハンガーに先に掛けた上衣の干渉を受けることなく、下衣をハンガーに掛ける事を可能とした。
【発明の効果】
【００２２】  本願発明によれば、上衣をハンガー以外の他の場所に仮置きすることなく、下衣の係止作業を阻害しない位置である背面側に掛けることができ、下衣の皺の発生、上衣の皺の発生及び汚損を防ぎ、更に、ハンガーへの衣服を掛ける効率を高めることができる。
【図面の簡単な説明】
【００２３】
【図１Ａ】本発明の第１の実施形態に係るハンガーを示す（ａ）は正面図、（ｂ）は斜視図である。
【図１Ｂ】第１の実施形態に係るハンガーを示す（ａ）は側面図、（ｂ）は平面図である。
【図２】（ａ）は、掛け具に上衣を掛けた状態を示す正面図、（ｂ）は、掛け具に上衣を掛けた状態を示す側面図である。
【図３】掛け具に上衣、係止部に下衣を掛けた状態を示す正面図である。
【図４】係止具に下衣を掛けた後に、上衣の左側を左肩側の肩フレーム部に被せた状態を示す正面図である。
【図５】係止具に下衣を掛けた後に、上衣の右側を右肩側の肩フレーム部に被せた状態を示す正面図である。
【図６】ハンガーに、着衣を掛け終わった状態を示す正面図である。
【図７】（ａ）は、第１の実施形態の第１変形例に係る延出部を有するハンガーをカーテンレールに掛けた状態を示す模式的な斜視図、（ｂ）は、異なる傾きの延出部を有するハンガーを鴨居に掛けた状態を示す模式的な斜視図である。
【図８】（ａ）は、第１の実施形態の第２変形例に係る突出部を有するハンガーを示す（ａ）は側面図、（ｂ）は平面図である。
【図９】第２の実施形態に係る掛け具を示す側面図である。
【図１０】（ａ）は、ハンガーのフック部に掛け具を通す前の状態を示す正面図、（ｂ）は、掛け具を通した後の状態を示す正面図である。
【図１１】第３の実施形態に係る掛け具を示す側面図である。
【図１２】第４の実施形態に係る掛け具を示す側面図である。
【図１３】平坦なハンガーを示す正面図である。
【図１４】第５の実施形態に係る掛け具を示す側面図である。
【図１５】変形例に係る掛け具を示す側面図である。
【図１６】第６の実施形態に係る掛け具を示す（ａ）は結合状態にあるときの側面図、（ｂ）は分割状態にあるときの側面図である。
【図１７】第６の実施形態の変形例に係る掛け具を示す（ａ）は結合状態にあるときの側面図、（ｂ）は分割状態にあるときの側面図である。
【図１８】第７の実施形態に係る掛け具を示す側面図である。
【図１９】第８の実施形態に係る掛け具を示す側面図である。
【図２０】ハンガーと、第９の実施形態に係る掛け具を示す側面図である。
【図２１】平坦なハンガーと、第９の実施形態の変形例に係る掛け具を示す側面図である。
【図２２】（ａ）は、第１０の実施形態に係る掛け具を示す模式的な斜視図である。（ｂ）は、第１０の実施形態に係る掛け具を示す模式的な平面図である。（ｃ）は、第１０の実施形態の変形例に係る掛け具を示す模式的な平面図である。
【図２３】第１１の実施の形態に係る掛け具を示す側面図である
【図２４】第１２の実施の形態に係る掛け具を示す側面図である
【図２５】第１３の実施形態に係るハンガーを示す側面図である。
【発明を実施するための形態】
【００２４】  以下、本願発明に係る掛け具及びハンガーの実施形態について、添付の図面を参照して具体的に説明する。
【００２５】＜＜第１の実施形態＞＞
まず、本願発明の第１の実施形態に係る掛け具付きハンガー１について図１〜６を参照して説明する。
本願発明による第１の実施形態に係る掛け具付きハンガー１は、図１Ａ（ａ），（ｂ）に示すように、ハンガー３０とハンガー３０に一体的に形成された掛け具２とから構成されるものである。
ハンガー３０は、ジャケットまたはコートなど上衣２０ａの肩の部分を保持する肩フレーム部３０ａ、肩フレーム部３０ａの下方に設けられ、ズボンやスカート等の下衣２０ｂが掛けられる係止部３０ｂ、肩フレーム部３０ａの略中央に位置し、上衣２０ａの略襟首の位置に相当するネック部３０ｃと、ネック部３０ｃの略中心線上で且つ、該ネック部３０ｃから略垂直に突出し、ハンガー３０を任意の構造物に掛けるためのフック部３０ｄと、から構成されるものである。
【００２６】  ハンガー３０に上衣２０ａを掛けた際に、上衣２０ａの胸の部分が触れる側をハンガー３０の正面、上衣２０ａの背中部分が触れる面をハンガー３０の背面と定義した場合、図１に示すように、ハンガー３０の背面側で前記フック部３０ｄの基端に掛け具２が一体的に配設されている。
掛け具２は、ハンガー３０の背面から略垂直に突出した突出部２ｂａと、突出部２ｂａから略直角に曲がり、ハンガー３０にネック部３０ｃからフック部３０ｄに向かう方向である上方に延出する延出部２ｂｂとから構成される上衣２０ａを一時的に掛け止めするためのＬ字状の掛止部２ｂを有する。
【００２７】  図２（ａ），（ｂ）に示すように、使用者はまず、脱衣した上衣２０ａを掛け具付きハンガー１に具備された掛け具２に掛ける事ができるため、下衣２０ｂを係止する係止部３０ｂが上衣２０ａに覆い隠される事を免れる。ここで、図２（ａ）は掛け具付きハンガー１を正面側から見た図で、破線は、本願発明の掛け具２に掛けられた上衣２０ａのうち、掛け具付きハンガー１により隠された部分についての透視部分を示し、図２（ｂ）は、掛け具付きハンガー１を左側面側から見た図である。
【００２８】  従来においては、上衣２０ａが既に掛けられたハンガー３０に対して下衣２０ｂを掛ける際、係止部３０ｂが上衣２０ａにより干渉され、下衣２０ｂを同一のハンガー３０に係止する事が著しく困難であった。
しかし、本実施形態に係る掛け具付きハンガー１によれば、図２（ａ），（ｂ）に示すように、掛け具２に掛けられた上衣２０ａよりも、掛け具付きハンガー１の係止部３０ｂが使用者の目前に露出することにより、下衣２０ｂを係止部３０ｂに容易に掛ける事が可能となる。このため、上衣２０ａが掛け具２に掛けられていることが一切の障害となる事なく、下衣２０ｂの掛け具合を調整する、皺を伸ばす、埃やごみなどを取り除くといった保守作業を行う事ができる。
【００２９】  図３に示すように下衣２０ｂを係止部３０ｂに掛け、必要に応じて下衣２０ｂの保守作業を行った後、同一の掛け具付きハンガー１の掛け具２に一時的に掛け置いておいた上衣２０ａを、図４、図５、図６に示す通りに肩フレーム部３０ａに沿って掛け直すことができる。このようにすると、下衣２０ｂは上衣２０ａに内包される形で掛け具付きハンガー１に収まり、下衣２０ｂ、掛け具付きハンガー１との相対位置において、上衣２０ａが最表面に露出することにより、容易に上衣２０ａの皺の発生、汚れの付着などの不具合を取り除き、掛け具付きハンガー１を用いて着衣を収納する事が可能となる。
【００３０】  本実施形態に係る掛け具２の突出部２ｂａの突出方向は、ハンガー３０の背面方向である事が好ましい。例えば、正面側に突出部２ｂａが突出している場合には、掛け具２に一時的に掛けた上衣２０ａが係止部３０ｂを隠してしまい、下衣２０ｂを係止部３０ｂに掛ける事が困難となる。更に、下衣２０ｂを係止部３０ｂに掛け終わったのち、上衣２０ａを肩フレーム部３０ａに掛け直す際、下衣２０ｂを跨いで掛け直さなくてはならず、利便性が著しく損なわれてしまう。
【００３１】  従来においては、脱衣した上衣２０ａにより干渉された係止部３０ｂに無理やり下衣２０ｂを掛ける事で皺の発生や汚れの付着を誘因することとなっていたが、本実施形態に係る掛け具２により、着衣収納時に、予め皺の発生や汚れの付着の原因を取り除く事が容易にできるため、着衣の収納作業の効率化、着衣の長寿命化といった恩恵をもたらす。また、上衣２０ａを脱ぎ棄て下衣２０ｂを先にハンガー３０に掛けた後、改めて上衣２０ａをハンガー３０に掛けるといった作業を強いられることがないため、着衣への汚れの付着、皺の発生等の不具合が発生する可能性を大幅に低減することができる。
【００３２】  本発明において、掛け具付きハンガー１に着衣を掛ける作業者と、着衣を脱衣する者は必ずしも同一人物である必要が無い事は言うまでもない。
【００３３】＜第１変形例＞
なお、上記実施形態に係る掛け部２ｂの延出部２ｂｂは、突出部２ｂａから略直角に曲がっているものとして説明したが、図７（ａ），（ｂ）に示すような、突出部２ｂａの端部から上方にかけてハンガー３０から漸次離間するように傾斜している延出部２ｃｂであってもよい。
このように傾斜して形成された延出部２ｃｂを有する掛止部２ｃは、掛け具付きハンガー１を上から見た時に、フック部３０ｄがネック部３０ｃに対して垂直に向いている場合に特に有効である。
【００３４】  このように、フック部３０ｄがネック部３０ｃに対して垂直に向いて使用される場合の例としては、図７（ａ）に示すカーテンレール４０に掛け具付きハンガー１を掛ける場合、図７（ｂ）に示す鴨居４１に掛け具付きハンガー１を掛ける場合がある。
【００３５】  フック部３０ｄがネック部３０ｃに対し、垂直を向いている場合、フック部３０ｄが円弧状に曲がって形成されている分、延出部２ｃｂの上方にフック部３０ｄが張り出し、フック部３０ｄを避けて延出部２ｃｂに上衣２０ａを掛けることが困難となる。しかしながら、延出部２ｃｂが上記のように傾斜していれば、この困難性を解消し得る。
【００３６】  また、鴨居４１にフック部３０ｄを掛ける場合、フックの円弧状の部分ではなく、端部を掛ける事となるが、この場合、ハンガー３０の自重を支える支点はフック部３０ｄの端部となる事から、カーテンレール４０にフック部３０ｄを掛ける場合に比べ、ハンガー３０は傾いた状態となる。
【００３７】  この場合、延出部２ｃｂが、突出部２ｂａの端部から上方にかけてハンガー３０から漸次離間するように傾斜している事により、ハンガー３０の傾き分を相殺し、延出部２ｃｂは略鉛直方向を向く事となり、使用者が上衣を延出部２ｃｂに掛ける作業性が向上する。
【００３８】＜第２変形例＞
上記においては、掛け具２（掛止部２ｂ）は、フック部３０ｄの基端に一体的に配設されているもの、つまり、フック部３０ｄから突出する突出部２ｂａを有するもの、として説明したが、図８（ａ），（ｂ）に示すような、ネック部３０ｃの背面側から突出する突出部２ｄａを有する掛け具２（掛止部２ｄ）であってもよい。
フック部３０ｄから突出する突出部２ｂａを有する掛け具２に、重い上衣２０ａが掛けられた場合には、その重量によって生じる曲げ応力によって、剛性の低いフック部３０ｄが変形することがある。
この場合に、掛け具２が、フック部３０ｄよりも幅が広く厚みのあるネック部３０ｃから突出するように形成された突出部２ｄａを有するものであれば、上衣２０ａが掛けられたときには、剛性の高いネック部３０ｃに曲げ応力がかかることになり、変形を抑制でき、安定して上衣２０ａを掛けることが出来る。
【００３９】＜＜第２の実施形態＞＞
次に、第２の実施形態に係る掛け具３について説明する。なお、以下の説明において、形状、機能の差異を明確にするため、同一形状・機能を有する部材については、同一名称として同一符号を付し、その説明を省略する。
【００４０】  まず、掛け具３の特徴点を説明するために、掛け具３が取り付けられるハンガー３０について説明する。
ハンガー３０は、ネック部３０ｃに対して回転自在に支持されたフック部３０ｄを有し、掛ける対象の形状、方向に合わせて、フック部３０ｄを適切に回転させることで、クローゼットや、鴨居、壁などに掛けることができるように構成されている。このハンガー３０において、例えば、第１の実施形態に係る掛け具付きハンガー１の掛け具２のように、フック部３０ｄに固定、若しくはフック部３０ｄの途中から延出している場合には、フック部３０ｄが回転すると、突出部２ｂａもフック部３０ｄの向きに合わせて回転してしまい、必ずしもハンガー３０の背面側に突出部２ｂａが配置されないこととなる。
【００４１】  例えば、フック部３０ｄの円弧状の部分と同一平面上に突出部２ｂａが形成される場合、壁などから突き出したハンガー掛けにハンガー３０を掛けるとフック部３０ｄは横方向を向く事となり、突出部２ｂａも横方向に延出する。
この状態においては、突出部２ｂａの延出する方向は肩フレーム部３０ａと同じ方向となり、上衣２０ａを一時的に突出部２ｂａに掛ける際、肩フレーム部３０ａが干渉し、作業性の低下や、上衣２０ａの皺、痛みの発生などの悪影響が発生する問題が起きる。
【００４２】  この問題点を解決可能とするために構成された第２の実施形態に係る掛け具３は、図９に示す通り、ハンガー３０とは別体を成すものであり、ハンガー３０に接続する円柱状の接続部３ａを有し、その中央に貫通孔３ａａを有する。掛け具３は、図１０（ａ），（ｂ）に示す通り、ハンガー３０のフック部３０ｄを貫通孔３ａａに通す事が可能であり、ハンガー３０のフック部３０ｄを通してハンガー３０に回転可能に接続されており、フック部３０ｄに相対的に回転可能となっている。
【００４３】  また、掛け具３は、第１の実施形態に係る掛け具付きハンガー１の一部である掛け具２と同様に、接続部３ａの側面から略垂直に突出する突出部３ｂａと、突出部３ｂａから略直角に、ハンガー３０に取り付けた状態において上方に延出する延出部３ｂｂとから構成される上衣２０ａを係止するためのＬ字状の掛止部３ｂを有する。
【００４４】  また、掛け具３は、上記のように接続部３ａに貫通孔３ａａが形成されており、ハンガー３０のフック部３０ｄは、ハンガー３０のネック部３０ｃから突出している。このため、掛け具３の貫通孔３ａａをフック部３０ｄの基端位置まで通すことによってハンガー３０と接続した掛け具３の接続部３ａは、前記フック部３０ｄと前記ネック部３０ｃの境界位置よりも上に配置されることとなる。
【００４５】  また、ハンガー３０のフック部３０ｄは、ハンガー３０の略中心線上から突出している事から、フック部３０ｄの基端側に配された掛け具３は、必然的に、ハンガー３０の係止部３０ｂより上方でかつ、ハンガー３０の略中心線上に配置される事となる。
【００４６】  上記のように構成された掛け具３は、取り付けるハンガー３０のフック部３０ｄが掛け具３の接続部３ａを貫通している事から、フック部３０ｄを軸に掛け具３を自由に回転させる事ができるため、ハンガー３０を掛ける対象の形状や向きに依らず、常に、突出部３ｂａをハンガー３０の背面側に持って行くことが可能となる。
【００４７】  また、本実施形態における接続部３ａの前後を区別するために、例えば、貫通孔３ａａを挟んで突出部３ｂａと対向する側の接続部３ａの側面に、文字や図柄を表示しても良い。
【００４８】  例えば、表示する文字や図柄は、使用者の氏名、所属する団体名、メーカーやブランドのロゴやキャラクター、店舗の屋号や連絡先、アクセス情報、品質管理、２次元バーコードや商標的機能を発揮することを目的として付されたものであり、使用者が目にすることを前提として記されたものであると好ましい。
【００４９】  更に、使用者が目にすることを前提としている事から、文字や図面はハンガー３０の正面側を向くようにすると好適である。
【００５０】＜＜第３の実施形態＞＞
本発明における第３の実施形態に係る掛け具４は、図１１に示す通り、接続部３ａの側面に一体的に形成されており接続部３ａから下方に延出する下方延出部４ａと、上衣２０ａを係止するためのＬ字状の掛止部４ｂと、を有する。
具体的には、Ｌ字状の掛止部４ｂは、下方延出部４ａから略垂直に突出する突出部４ｂａと、突出部４ｂａから略直角に曲がり、ハンガー３０に取り付けた状態において上方に延出する延出部４ｂｂとから構成される。
【００５１】  特に、掛け具４は、接続部３ａの上面の高さに対し、延出部４ｂｂの先端の高さが同じである事を特徴としている。このように延出部４ｂｂが形成されていることで、接続部３ａの上面よりも延出部４ｂｂの先端の位置が高い場合に比べ、フック部３０ｄが湾曲しているハンガー３０において、フック部３０ｄと延出部４ｂｂの先端との距離を広げる事ができる。このため、使用者が上衣２０ａを掛け具４に一時的に掛け置く際、フック部３０ｄとの干渉が抑制され、作業性が向上する事となる。
【００５２】  この掛け具４を具備したハンガー３０の使用目的、使用方法、効果に関しては、第２の実施形態に係る掛け具３と同様である事は言うまでもない。
【００５３】  また、第３の実施形態に係る掛け具４は、第２の実施形態に係る掛け具３同様、取り付けるハンガー３０のフック部３０ｄが掛け具４の接続部３ａを貫通している事から、フック部３０ｄを軸に掛け具４を自由に回転する事ができるため、ハンガー３０を掛ける対象の形状や向きに依らず、常に、掛止部４ｂをハンガー３０の背面側に配置させることが可能となる。
【００５４】＜＜第４の実施形態＞＞
本発明における第４の実施形態に係る掛け具５は、図１２に示す通り、突出部５ｂａと突出部５ｂａから上方に延出する延出部５ｂｂとから構成されるＬ字状の掛止部５ｂを有し、接続部３ａの上面の高さに対し、延出部５ｂｂの先端の高さが低い事を特徴としている。
【００５５】  このように延出部５ｂｂが形成されていることで、接続部３ａの上面よりも延出部５ｂｂの先端の位置が高い場合、もしくは高さが同じ場合に比べ、フック部３０ｄが湾曲しているハンガー３０において、フック部３０ｄと延出部５ｂｂの先端との距離をさらに広げる事ができ、使用者が上衣２０ａを掛け具５に一時的に掛け置く際、フック部３０ｄの干渉が抑制され、作業性が向上する事となる。
【００５６】  この掛け具５を具備したハンガー３０の使用目的、使用方法、効果に関しては、第２の実施形態に係る掛け具３と同様である事は言うまでもない。
【００５７】＜＜第５の実施形態＞＞
本発明における第５の実施形態に係る掛け具７，８は、接続部３ａに形成された貫通孔７ａ，８ａの形状が、図１４，図１５に示す通り、楕円形、もしくは長方形などの多角形である事を特徴としている。
【００５８】  このように、第５の実施形態における掛け具７，８の接続部３ａの貫通孔７ａ，８ａの形状が、楕円形、もしくは長方形などの多角形である事により、図１３に示すフック部６ｄが平坦形状であるハンガー６にもフィットし、接続部３ａにおける保持力を損なうことなく掛け具７，８とハンガー６を接続する事が可能となる。
【００５９】  この掛け具７，８を具備したハンガー６の使用目的、使用方法、効果に関しては、第２の実施形態に係る掛け具３と同様である事は言うまでもない。
【００６０】  この場合、掛け具７，８とフック部６ｄの係合状態から、掛け具７，８は、フック部３０ｄを軸に自由に回転可能な第２乃至第４の実施形態に係る掛け具３，４，５と異なり、フック部６ｄを軸に自由に回転できない。しかしながら、フック部６ｄが平坦形状を有するハンガー６においては、プレス加工、輸出成形等によって全体として一体的に形成されるものであるのが一般的であり、この場合には、フック部６ｄの向きが一意に決定されることとなる。よって、掛け具７がハンガー６に対して任意の方向に回転できなくとも、フック部６ｄに通される貫通孔７ａ，７ｂを形成する段階で、突出部３ｂａの向きをハンガー６の背面側に位置する向きとなるように適合させることができる。
【００６１】＜＜第６の実施形態＞＞
本発明における第６の実施形態に係る掛け具９，１０は、図１６（ａ），（ｂ）及び図１７（ａ），（ｂ）に示す通り、接続部９ａ，１０ａに形成された貫通孔９ａａ，１０ａａを含み、貫通方向と同じ方向に延在する断面で分割されている事を特徴とする。
【００６２】  掛け具９は、図１６（ａ）に示すように、接続部９ａの側面から略垂直に突出する突出部９ｄと、突出部９ｄから略直角に、ハンガー３０に取り付けた状態において上方に延出する延出部９ｅとを備える。掛け具９は、ハンガー３０に取り付けられる前の状態では、図１６（ｂ）に示すように、突出部９ｄの突出方向に対して垂直方向に延在して、貫通孔９ａａを通る断面で、突出部９ｄ及び延出部９ｅを有する側の掛け具片９ｃと、突出部９ｄ及び延出部９ｅを有しない側の掛け具片９ｂとに分割されている。
【００６３】  また、掛け具１０は、図１７に示すように、掛け具９に対し、断面の垂線方向が９０度異なるように構成されているものである。
具体的には、掛け具１０は、掛け具９と同様に、接続部１０ａの側面から略垂直に突出する突出部１０ｄと、突出部１０ｄから略直角に、ハンガー３０に取り付けた状態において上方に延出する延出部１０ｅとを備える。掛け具１０は、ハンガー３０に取り付けられる前の状態では、この突出部１０ｄの突出方向に対して平行方向に延在して、貫通孔１０ａａを通る断面で、突出部１０ｄ及び延出部１０ｅを有する側の掛け具片１０ｃと、突出部１０ｄ及び延出部１０ｅを有しない側の掛け具片１０ｂとに分割されている。
【００６４】  このように、掛け具９，１０の形態からもわかる通り、分割方向はどの方向でも機能を損なう事がない。更には、分割数は必ずしも２分割である必要もない。
【００６５】  掛け具９，１０のハンガー６，３０への取り付けは、分断された掛け具片９ｂ，９ｃ又は掛け具片１０ｂ，１０ｃが結合されて形成される貫通孔９ａａ，１０ａａにフック部６ｄ，３０ｄの一部を収容するように、挟みこむようにしてなされる。
【００６６】  本発明の第６の実施形態に係る掛け具９，１０の構造によれば、掛け具９，１０の貫通孔９ａａ，１０ａａをフック部６ｄ，３０ｄの先端から通す必要がなくなり、フック部６ｄ，３０ｄの先端側が、貫通孔９ａａ，１０ａａよりも太い形状を有する場合であっても、フック部６ｄ，３０ｄの一部が貫通孔９ａａ，１０ａａよりも細く、且つ長ければ、掛け具９，１０をハンガー６，３０に保持する事が可能となる。
【００６７】  なお、複数に分割された接続部９ａ，１０ａは、接着剤、磁石など各々の断面に与えられた接着機能により接着されているものや、凹凸を有する構造が断面に具備され、一方の凸部が他方の凹部に嵌入することにより接合されるもの等、各種の接合方法を採る事ができる。
【００６８】  更には、本実施形態に係る掛け具９，１０は、フック部６ｄ，３０ｄを挟みこむようにして、ハンガー６，３０に取り付けることができるように、完全に２個の掛け具片９ｂ，９ｃ又は掛け具片１０ｂ，１０ｃに分割可能なものであるものとして説明したが、他の形態でも良い。
【００６９】  この掛け具９，１０を具備したハンガーの使用目的、使用方法、効果に関しては、第２の実施形態に係る掛け具３と同様である事は言うまでもない。
【００７０】＜＜第７の実施形態＞＞
本発明における第７の実施形態に係る掛け具１１は、図１８に示す通り、掛け具１１の接続部１１ａの貫通孔１１ａａの内壁側に、伸縮性のある伸縮性材料１１ｂが接着されて備わっている事を特徴とする。伸縮性材料１１ｂは、接続部１１ａの貫通孔１１ａａよりも小径であり、同一方向に延在する貫通孔１１ｂａを備える。
このように、貫通孔１１ａａの内壁側に伸縮性材料１１ｂが備わっている事により、例えばハンガー６，３０のフック部６ｄ，３０ｄのように、形状が異なる多様なフック部を有するハンガーに対し、貫通孔１１ａａの形状、寸法を一意に決定しなくてもよい。
【００７１】  つまり、伸縮性材料１１ｂの貫通孔１１ｂａが、フック部６ｄ，３０ｄの太さに応じて拡張、収縮し、接続部１１ａの内壁とフック部６ｄ，３０ｄとの隙間を埋める事で、掛け具１１をハンガー６，３０のフック部３０ｄに固定する事が可能となる。
【００７２】  前記説明の伸縮性のある素材は、例えば、ゴム、ポリエステル、ポリウレタン、ポリスチロールなどが挙げられるが、本発明の効果を発現させる材料であれば、必ずしもこの限りでは無い事は言うまでもない。
【００７３】  また、この掛け具１１を具備したハンガー３０の使用目的、使用方法、効果に関しては、第２の実施形態に係る掛け具３と同様である事は言うまでもない。
【００７４】＜＜第８の実施形態＞＞
第８の実施形態に係る掛け具１２は、図１９に示す通り、接続部１１ａの貫通孔１１ａａの内壁側に、貫通孔１２ｂａを有して伸縮性のある伸縮性材料１２ｂが設けられており、この伸縮性材料１２ｂがポリウレタンなどの熱硬化性樹脂からなる事を特徴とする。
【００７５】  伸縮性材料１２ｂが熱硬化性樹脂である場合、異なる形状のフック部３０ｄを有するハンガーに対し、例えばハンガー６，３０のフック部６ｄ，３０ｄのように、形状が異なる多様なフック部を有するハンガーに対し、貫通孔１１ａａの形状、寸法を一意に決定しなくてもよい。
つまり、接続部１１ａをフック部６ｄ，３０ｄを通した後、加熱処理を施して伸縮性材料１２ｂを硬化させることによって、フック部６ｄ，３０ｄに接続部１１ａを固定することができ、掛け具１２とハンガー６，３０とをさらに強固に固定する事が可能となる。
【００７６】  なお、熱硬化性樹脂はポリウレタンに限定されるものではなく、本発明の効果を発現させる材料であれば、必ずしもこの限りでは無い事は言うまでもない。
【００７７】  また、この掛け具１２の使用目的、使用方法、効果に関しては、第２の実施形態に係る掛け具３と同様である事は言うまでもない。
【００７８】＜＜第９の実施形態＞＞
本発明における第９の実施形態に係る掛け具１３は、図２０に示す通り、ハンガー３０のネック部３０ｃに接着される事を特徴としている。
【００７９】  掛け具１３は、ネック部３０ｃの接着される接続部１３ａと、接続部１３ａの下面に一体的に形成されており接続部１３ａから下方に延出する下方延出部１３ｂと、下方延出部１３ｂから略垂直に突出する突出部１３ｃと、突出部１３ｃから略直角に曲がり、ハンガー３０に取り付けた状態において上方に延出する延出部１３ｄとから構成される。
【００８０】  接続部１３ａは、延出部１３ｄの延出方向と略平行を成す平坦な面を有し、この平坦な面には両面テープ等の接着材料又は粘着材料が塗布されている。
【００８１】  接続部１３ａは、接着材料又は粘着材料を介してハンガー３０のネック部３０ｃの背面かつ、ハンガー３０の中心線上に接着させられ、フック部３０ｄの形状やフック部３０ｄとネック部３０ｃの位置関係によらず、ネック部３０ｃの任意の位置に掛け具１３を接続する事が可能となる。
【００８２】  接続部１３ａは、図２１に示すような平坦形状を有するハンガー６のネック部６ｃにも、同様に接着させる事ができる事も明らかである。
【００８３】＜変形例＞
更に、接着材料又は粘着材料によって接着、粘着する以外に、接続部１３ａと一体的に形成された一対の倒立Ｊ字上の係合部１４ｂを掛け具１４が備えるようにして、ハンガー６のネック部６ｃの上部に係合部１４ｂを掛けるようにしてハンガー６に取り付けるようにしてもよい。
【００８４】  この掛け具１４は、平坦形状のハンガー６のネック部６ｃは一般的に薄く形成されているために、係合部１４ｂをネック部６ｃに掛けるのに好適である。しかし、これに限定されず、係合部１４ｂを、平坦形状ではないハンガー３０のネック部３０ｃに合わせた大きさにするようにして、ネック部３０ｃに掛けるようにしてもよい。
【００８５】  これらの掛け具１３，１４の使用目的、使用方法、効果に関しては、第２の実施形態に係る掛け具３と同様である事は言うまでもない。
【００８６】＜＜第１０の実施形態＞＞
本発明における第１０の実施形態に係る掛け具１５、及び変形例に係る掛け具１６について図２２（ａ）〜（ｃ）を参照して説明する。
ここで、図２２（ａ）は、第１０の実施形態に係る掛け具１５を示す模式的な斜視図、図２２（ｂ）は、模式的な平面図、図２２（ｃ）は、第１０の実施形態の変形例に係る掛け具１６を示す模式的な平面図である。
【００８７】  本実施形態に係る掛け具１５は、可撓性材料から成り、切込部１５ｂを有することを特徴とする。
切込部１５ｂは、接続部１５ａにおける延出部３ｂｂの延出方向に垂直な上下面に至るまで形成され、接続部１５ａの側面から貫通孔１５ａａに連通するように形成されている。特に切込部１５ｂの接続部１５ａの周方向の幅は、貫通孔１５ａａに近づくにつれて漸次小さくなるようにテーパ状に形成されている。
【００８８】  フック部３０ｄへの掛け具１５の取り付けは、切込部１５ｂの開放側に、ハンガー３０のフック部３０ｄを当てた状態で、フック部３０ｄと、接続部１５ａの切込部１５ｂが連通している側の逆側の側面とを近づけるように力を加えるようにしてなされる。
このように、フック部３０ｄをテーパ状の切込部１５ｂに押し付けるようにすることで、上記のように切込部１５ｂがテーパ状に形成されていることによって、切込部１５ｂに周方向に拡張する向きの力が加わることとなる。このため、切込部１５ｂが拡張する向きに容易に変形させて、貫通孔１５ａａ内にフック部３０ｄを通すことができる。
【００８９】＜変形例＞
一方、一旦、フック部３０ｄが切込部１５ｂを通って貫通孔１５ａａ内に収容されてしまうと、切込部１５ｂは、復元力によって元の形状となり、上記のように、切込部１５ｂの貫通孔１５ａａ側の幅は小さく形成されているため、意図的に、切込部１５ｂを拡張させる方向に力を加えない限り、貫通孔１５ａａからフック部３０ｄは外れ難くなっている。
つまり、掛け具１５がフック部３０ｄから意図せずに外れることを抑制できる。
【００９０】  また、突出部３ｂａは、図２２（ｂ）に示すように、接続部１５ａにおいて、切込部１５ｂが形成されていない側面のいずれか一箇所から垂直に突出して形成されているが、本願発明はこの形態に限定されない。
例えば、変形例に係る掛け具１６は、図２２ｃに示すように、接続部１５ａの側面のうち切込部１５ｂを挟んだ位置に、掛止部３ｂを一対備えるようにしてもよい。このような構成によれば、掛止部３ｂを把持するようにして、切込部１５ｂを拡張する方向に力を追加的に付加しやすくなり、掛け具１６のハンガー３０への取り付け、及び取り外しが用意となる。
なお、この形態に限定されず、掛止部３ｂの一対を、接続部１５ａの任意の側面に設けるようにしてもよい。
【００９１】  また、このような構成の掛け具１５，１６によれば、接着剤を用いる必要がないため、何度でも取り外しができ、また、凹凸を有するような形状に形成する必要もないため製造が容易である。
【００９２】＜＜第１１の実施形態＞＞
本発明における第１１の実施形態に係る掛け具１７は、図２３に示す通り、接続部３ａの側面から略垂直に突出する突出部１７ｂａと、突出部１７ｂａの端部から上方にかけて、前記突出部１７ｂａとの間のなす角が鈍角になるよう、接続部３ａから漸次離間するように傾斜している延出部１７ｂｂとから構成され、接続部３ａに貫通孔３ａａが形成されている。
【００９３】  本発明における第１１の実施形態に係る掛け具１７は、第１の実施形態の第１の変形例と同様の効果を奏する事が可能となる。具体的には、ハンガーをカーテンレールや鴨居に掛けて使用する際、フック部３０ｄがネック部３０ｃに対して垂直に向く事となるが、フック部３０ｄがネック部３０ｃに対し、垂直を向いている場合、フック部３０ｄが円弧状に曲がって形成されている分、延出部１７ｂｂの上方にフック部３０ｄが張り出し、フック部３０ｄを避けて延出部１７ｂｂに上衣２０ａを掛けることが困難となる。しかしながら、延出部１７ｂｂが上記のように傾斜していれば、この困難性を解消し得る。
【００９４】  また、鴨居にフック部３０ｄを掛ける場合、フックの円弧状の部分ではなく、端部を掛ける事となるが、この場合、ハンガー３０の自重を支える支点はフック部３０ｄの端部となる事から、ハンガー３０は傾いた状態となる。
【００９５】  この場合、延出部１７ｂｂが、突出部１７ｂａの端部から上方にかけて接続部３ａから漸次離間するように傾斜している事により、ハンガー３０の傾き分を相殺し、延出部１７ｂｂは略鉛直方向を向く事となり、使用者が上衣を延出部１７ｂｂに掛ける作業性が向上する。
【００９６】＜＜第１２の実施形態＞＞
本発明における第１２の実施形態に係る掛け具１８は、図２４に示す通り、接続部３ａの側面から、下方に傾くよう、接続部３ａとのなす角が鈍角になる方向に突出する突出部１８ｂａと、突出部１８ｂａの端部から上方にかけて、略垂直に延出している延出部１８ｂｂとから構成され、接続部３ａに貫通孔３ａａが形成されている。
【００９７】  本発明における第１２の実施形態に係る掛け具１８は、掛け具１７同様、接続部３ａと延出部１８ｂｂが漸次離間するように傾斜している事から、第１の実施形態の第１の変形例と同様の効果を奏する事が可能となる。
【００９８】  第１１の実施例、および、第１２の実施例では、延出部が接続部３ａと漸次離間するように、掛け具１７では突出部１７ｂａと延出部１７ｂｂの間が鈍角となり、掛け具１８では接続部３ａと突出部１８ｂａの間が鈍角となる形態を示したが、この両方の間が各々鈍角となる、または、どちらか一方のなす角が鋭角だとしても、結果的に接続部と延出部が漸次離間するような角度となるよう、他方のなす角が鈍角であれば、同様の機能を有する事は言うまでもない。
【００９９】＜＜第１３の実施形態＞＞
本発明の第１３の実施形態に係る掛け具付きハンガー１９は、図２５に示す通り、針金状から構成されるものであり、掛け具付きハンガー１９の背面に突出する突出部１９ａａと、突出部１９ａａの端部から上方に向けて延出する延出部１９ａｂとから構成される掛止部１９ａを備えるものである。
【０１００】  この掛け具付きハンガー１９の使用目的、使用方法、効果に関しては、第１の実施形態に係る掛け具付きハンガー１と同様である事は言うまでもない。
【０１０１】  以上実施形態において、掛け具及び掛け具付きハンガーの各種形態について説明したが、本願発明は上記の実施形態の構成のみに限定されるものではない。その要旨を逸脱しない範囲内で、各特徴を組み合わせる等、種々の変更が可能である。
【０１０２】  例えば、第４の実施形態に係る掛け具５のように、延出部５ｂｂの高さが接続部３ａの高さよりも低い特徴を有し、さらに第７の実施形態に係る掛け具１１のように、接続部１１ａの貫通孔１１ａａの内壁側に伸縮性材料１１ｂが備わっているようにしてもよい。
また、第６の実施形態に係る掛け具９のように縦方向に分割している接続部９ａに、第４の実施形態に係る掛け具５にある掛止部５ｂが備わっているようにしてもよい。
更には、第６の実施形態に係る掛け具９，１０の分断・結合機能と第７の実施形態に係る伸縮機能が同時に備わっているようにしてもよく、第４の実施形態と、第６の実施形態と、第７の実施形態の機能が同時に備わっているようにしてもよい。
【０１０３】  また、例えば、第１０の実施形態に係る掛け具１５の接続部１５ａは、可撓性材料から成るものとして説明したが、それ自体が可撓性材料でなくとも、引張バネや、貫通孔１５ａａに沿って配設された円弧状の板バネ等の弾性材料を用いて可撓性（弾性）を備えるようにしてもよい。このような場合、弾性材料が、切込部１５ｂを塞ぐ方向に付勢力が働いているようにすることで、同様の機能を有することとなる。このように、弾性材料を用いることで、可撓性材料のみによって構成されるものよりも、切込部１５ｂの隙間の変位幅を大きくすることができ、多様な太さのフック部に取り付けることができ、汎用性が向上する。
【０１０４】  また、上記実施形態に係る掛け具の接続部は略円柱状のものとして説明したが、円筒状や多角柱状であってもよく、その形状は任意である。
また、掛け具の位置は、ハンガーにおける背面でかつ、ハンガーの肩フレーム部の略中心で、ハンガーの中心線上でかつ、上衣の略襟首に位置するネック部または、ネック部から突出したフック部に具備されることが好ましいが、より好ましくは、該ネック部の上半分の領域乃至フック部に具備される事が好ましい。
【０１０５】  その理由は、本発明の掛け具の位置がネック部の下半分の領域に具備された場合、ハンガーの肩フレーム部に上衣を掛けた際、前記上衣の襟首から背筋に相当する部分が、本発明の掛け具にぶつかり、上衣の皺や擦れ、出っ張り痕などを生じさせ、上衣を劣化させてしまう可能性があるためであり、ネック部の上半分の領域乃至ネック部に本発明の掛け具がある場合は、上衣とぶつかる可能性が大幅に低減し、上衣の劣化を抑制する事が可能となるからである。
【符号の説明】
【０１０６】１，１９  掛け具付きハンガー
２，３，４，５，７，８、９，１０，１１，１２，１３，１４，１５，１６，１７，１８  掛け具
２ｂ，２ｃ，２ｄ，３ｂ，４ｂ，５ｂ，１９ａ  掛止部
２ｂａ，２ｄａ，３ｂａ，４ｂａ，５ｂａ，９ｄ，１０ｄ，１３ｃ，１７ｂａ，１８ｂａ、１９ａａ  突出部
２ｂｂ，２ｃｂ，３ｂｂ，４ｂｂ，５ｂｂ，９ｅ，１０ｅ，１３ｄ，１７ｂｂ，１８ｂｂ，１９ａｂ  延出部
３ａ，９ａ，１０ａ，１１ａ，１３ａ，１５ａ  接続部
３ａａ，７ａ，８ａ，９ａａ，１０ａａ，１１ａａ，１５ａａ  貫通孔
９ｂ，９ｃ，１０ｂ，１０ｃ  掛け具片
４ａ，１３ｂ  下方延出部
１１ｂ，１２ｂ  伸縮性材料
１１ｂａ，１２ｂａ  貫通孔
１４ｂ  係合部
１５ｂ  切込部
６，３０  ハンガー
３０ａ  肩フレーム部
３０ｂ  係止部
６ｃ，３０ｃ  ネック部
６ｄ，３０ｄ  フック部
２０ａ  上衣
２０ｂ  下衣
４０  カーテンレール
４１  鴨居
【図１Ａ】
2015047486.tif 000003
【図１Ｂ】
2015047486.tif 000004
【図２】
2015047486.tif 000005
【図３】
2015047486.tif 000006
【図４】
2015047486.tif 000007
【図５】
2015047486.tif 000008
【図６】
2015047486.tif 000009
【図７】
2015047486.tif 000010
【図８】
2015047486.tif 000011
【図９】
2015047486.tif 000012
【図１０】
2015047486.tif 000013
【図１１】
2015047486.tif 000014
【図１２】
2015047486.tif 000015
【図１３】
2015047486.tif 000016
【図１４】
2015047486.tif 000017
【図１５】
2015047486.tif 000018
【図１６】
2015047486.tif 000019
【図１７】
2015047486.tif 000020
【図１８】
2015047486.tif 000021
【図１９】
2015047486.tif 000022
【図２０】
2015047486.tif 000023
【図２１】
2015047486.tif 000024
【図２２】
2015047486.tif 000025
【図２３】
2015047486.tif 000026
【図２４】
2015047486.tif 000027
【図２５】
2015047486.tif 000028